(57)【要約】【課題】構成が大型化で容量の電荷蓄積デバイスを用意せずに、必要十分なＩＳＤＮベーシックレートＵ点インタフェースの機能を有する電話装置を提供。【解決手段】インタフェースユニットのプリント配線基板及び制御部ユニットのプリント配線基板を挿抜可能な架内に実装して構成する電話装置において、前記インタフェースユニットに電力を供給する電源部を具備し、前記架内には、前記電源部から供給される電力を得て電荷を蓄積する電荷蓄積デバイス２２と、前記電荷蓄積デバイス２２から電力供給を受けると共に、前記電源部からの電力供給の停止を監視し、電力供給が停止となるとＩＳＤＮのライン・ターミネーションへ通知を行うＩＳＤＮインタフェースＬＳＩ２１とを具備するＩＳＤＮベーシックレートＵ点インタフェースのユニット２０が設けられる。【選択図】  図４
2004328249.tif 000002
【特許請求の範囲】
【請求項１】
インタフェースユニットのプリント配線基板及び制御部ユニットのプリント配線基板を挿抜可能な架内に実装して構成する電話装置において、
前記架内に設けられるインタフェースユニットに電力を供給する電源部を具備すると共に、
前記架内に、
前記電源部から供給される電力を得て電荷を蓄積する電荷蓄積手段と、
前記電荷蓄積手段から電力供給を受けると共に、前記電源部からの電力供給の停止を監視し、電力供給が停止となるとＩＳＤＮのライン・ターミネーションへ通知を行う通知手段と
を具備する特定ユニットが設けられることを特徴とする電話装置。
【請求項２】
前記制御部ユニットと前記特定ユニットには、それぞれデータを送受するバッファが備えられ、
前記制御部のバッファと前記特定ユニットのバッファの間には、前記制御部に供給される電力を受け、前記特定ユニットのリセット信号により制御されるゲート用バッファが設けられていることを特徴とする請求項１に記載の電話装置。
【請求項３】
前記電源部の電力供給がオンとなってから前記電荷蓄積手段の電荷蓄積時間に対応して前記リセット信号を変化させ、前記ゲート用バッファを通過状態とすることを特徴とする請求項２に記載の電話装置。
【発明の詳細な説明】
【０００１】
【発明の属する技術分野】
この発明は、ＩＳＤＮベーシックレートＵ点インタフェース（ＩＳＤＮ  ＢＲＩ  Ｕ）を具備する電話装置、詳しくは、システムの電源がオフすることをＬＴ（ライン・ターミネーション）へ通知するｐｓ−ｂｉｔダイイング・ギャスプ（Ｄｙｉｎｇ  Ｇａｓｐ）送信機能と呼ばれる機能を備える必要があるＮＴ（ネットワーク・ターミネーション）を具備する電話装置に関するものである。
【０００２】
【従来の技術】
ＩＳＤＮベーシックレートＵ点インタフェースを具備する電話装置は、例えば、図１に示されるように構成されている。つまり、電話装置１は、制御部２と回線インタフェース３−１、３−２、・・・、３−ｍ及び内線回路４−１、４−２、・・・、４−ｎを有する。内線回路４−１、４−２、・・・、４−ｎは、接続される内線端末の種類やアダプタの種類に応じて異なる機能及び構成を備えている。
【０００３】
また、回線インタフェース３−１、３−２、・・・、３−ｍも接続される回線の種類に応じて幾つかの種類が用意され、ＩＳＤＮ回線に接続される場合には、回線インタフェースとしてＩＳＤＮベーシックレートＵ点インタフェースが採用される。
【０００４】
ところで、上記の回線インタフェース３−１、３−２、・・・、３−ｍ、内線回路４−１、４−２、・・・、４−ｎ及び制御部２等は、プリント配線基板として作成されると共にユニットと呼ばれ、プリント配線基板を挿抜可能な架内に実装され例えばディジタルボタン電話装置が構成される。
【０００５】
図２に、上記ディジタルボタン電話装置における架の内部構成の一例を示す。この例では、架５には、電源部６が設けられると共に、回線インタフェース３−１、３−２、・・・、３−ｍ、内線回路４−１、４−２、・・・、４−ｎ及び制御部２等のユニット７−１、７−２、・・・、７−８を挿抜可能なスロットが設けられている。
【０００６】
上記の架５においては、８個のスロットのいずれにもＩＳＤＮベーシックレートＵ点インタフェースのユニットを挿入可能であり、いずれのスロットに当該ＩＳＤＮベーシックレートＵ点インタフェースのユニットを挿入するかはユーザの選択事項となっている。
【０００７】
そのため、いずれのスロットにＩＳＤＮベーシックレートＵ点インタフェースのユニットが挿入されても問題が生じないように、電源部６に電荷蓄積デバイス８と電荷チャージブロック９とを備え、全てのスロットに挿入されるユニットに電荷チャージブロック９を介して電力供給を行う構成を採用している。
【０００８】
【発明が解決しようとする課題】
しかしながら、上記の構成によれば、全てのスロットに挿入されるユニットにに電力供給が可能な容量の電荷蓄積が必要となり、電荷蓄積デバイス８の容量を大きくする必要があり、構成が大型化しコストも高くなるという問題点があった。これは裏を返すと、全スロットにＩＳＤＮベーシックレートＵ点インタフェースのユニットが挿入されるわけではないにも拘らず、無駄な容量の電荷蓄積デバイス８を用意することになる。また、電荷蓄積デバイス８の容量が大きいために、電荷の蓄積に時間を要し、システムの立上がりに多くの時間を要するという問題点が生じる。
【０００９】
本発明は、上記のようなＩＳＤＮベーシックレートＵ点インタフェースのユニットを備える電話装置の問題点を解決せんとしてなされたもので、その目的は、構成が大型化しコストが高くなることなく、また無駄な容量の電荷蓄積デバイスを用意せずとも、必要十分なＩＳＤＮベーシックレートＵ点インタフェースの機能を実現する電話装置を提供することである。
【００１０】
【課題を解決するための手段】
請求項１に記載の本発明に係る電話装置は、インタフェースユニットのプリント配線基板及び制御部ユニットのプリント配線基板を挿抜可能な架内に実装して構成する電話装置において、前記架内に設けられるインタフェースユニットに電力を供給する電源部を具備すると共に、前記架内に、前記電源部から供給される電力を得て電荷を蓄積する電荷蓄積手段と、前記電荷蓄積手段から電力供給を受けると共に、前記電源部からの電力供給の停止を監視し、電力供給が停止となるとＩＳＤＮのライン・ターミネーションへ通知を行う通知手段とを具備する特定ユニットが設けられることを特徴とする。これにより、個別の特定ユニットにおいて電荷蓄積が行われ、電荷蓄積手段の容量を小さく、構成を小型化できる。
【００１１】
請求項２に記載の本発明に係る電話装置では、前記制御部ユニットと前記特定ユニットには、それぞれデータを送受するバッファが備えられ、前記制御部のバッファと前記特定ユニットのバッファの間には、前記制御部に供給される電力を受け、前記特定ユニットのリセット信号により制御されるゲート用バッファが設けられていることを特徴とする。これにより、特定ユニットが電荷蓄積手段を備えていることにより生じる制御部との電源オンオフタイミングのずれによるバッファの破壊を防止する。
【００１２】
請求項３に記載の本発明に係る電話装置は、前記電源部の電力供給がオンとなってから前記電荷蓄積手段の電荷蓄積時間に対応して前記リセット信号を変化させ、前記ゲート用バッファを通過状態とすることを特徴とする。これにより、電荷蓄積手段の電荷蓄積時間により生じる特定ユニットと制御部との電源オンタイミングのずれによるバッファの破壊を防止する。
【００１３】
【発明の実施の形態】
以下、添付図面を参照して本発明に係る電話装置の実施の形態を説明する。図３に、本発明に係る電話装置の実施の形態を示す。この電話装置は図１により説明した構成を有するディジタルボタン電話装置であり、架５内に電源部１０が設けられると共に、回線インタフェース３−１、３−２、・・・、３−ｍ、内線回路４−１、４−２、・・・、４−ｎ及び制御部２等のユニット１１−１、１１−２、・・・、１１−８を挿抜可能なスロットが設けられている。
【００１４】
上記の架５においては、８個のスロットのいずれにもＩＳＤＮベーシックレートＵ点インタフェースのユニット（特定ユニット）を挿入可能であり、いずれのスロットに当該ＩＳＤＮベーシックレートＵ点インタフェースのユニットを挿入するかはユーザの選択事項となっている。
【００１５】
上記の各スロットに挿入されるユニット１１−１、１１−２、・・・、１１−８に対しては、共通電源線１５を介して電源部１０から電力供給が行われる。ユニット１１−１、１１−２、・・・、１１−８の内のＩＳＤＮベーシックレートＵ点インタフェースのユニット２０は、図４のように構成されている。
【００１６】
ＩＳＤＮベーシックレートＵ点インタフェースのユニット２０には、ＣＰＵを含み、ＩＳＤＮに接続されてＩＳＤＮ網との間において呼制御信号や音声信号及びデータの送受等を行うＩＳＤＮインタフェースＬＳＩ２１、電荷の蓄積を行う電荷蓄積手段を構成するコンデンサ等の電荷蓄積デバイス２２、ＤＣ／ＤＣコンバータ２３が備えられている。
【００１７】
ＤＣ／ＤＣコンバータ２３は、電源部１０から供給される電力を受けて、２４Ｖから５Ｖの電圧として電荷蓄積デバイス２２へ与える。電荷蓄積デバイス２２は、ＤＣ／ＤＣコンバータ２３より電荷を受け取って蓄積し、ＩＳＤＮインタフェースＬＳＩ２１へ電力の供給を行う。
【００１８】
ＩＳＤＮインタフェースＬＳＩ２１には、システム電源がオフすることをＬＴ（ライン・ターミネーション）へ通知するｐｓ−ｂｉｔダイイング・ギャスプ送信機能を備えるＮＴ（ネットワーク・ターミネーション）が具備されている。
【００１９】
また、ＤＣ／ＤＣコンバータ２３には、電源部１０からの電力供給の停止を監視して、結果を上記ＮＴ（ネットワーク・ターミネーション）へ出力する電源監視部２５が備えられている。
【００２０】
以上のように構成されているために、ＩＳＤＮベーシックレートＵ点インタフェースのユニット２０が、図３の架５内のいずれのスロットに挿入された場合にも、電荷蓄積デバイス２２が電荷の蓄積を行い、ＩＳＤＮインタフェースＬＳＩ２１へ電力の供給を行うように機能する。
【００２１】
そして、電源部１０からの電力の供給が止むと、上記電源監視部２５は電源がオフとなる旨の信号をＮＴ（ネットワーク・ターミネーション）へ出力する。この段階で電源部１０からの電力の供給が止んでいるが、電荷蓄積デバイス２２が蓄積した電荷によりＩＳＤＮインタフェースＬＳＩ２１へ電力の供給を行っているので、ＩＳＤＮインタフェースＬＳＩ２１に含まれているＮＴ（ネットワーク・ターミネーション）は、ｐｓ−ｂｉｔダイイング・ギャスプ送信機能によりシステム電源がオフすることをＬＴ（ライン・ターミネーション）へ通知することができる。
【００２２】
以上の通りにＩＳＤＮベーシックレートＵ点インタフェースのユニット２０が構成されている結果、電源部１０に電荷蓄積デバイスを設ける必要がなく、ＩＳＤＮベーシックレートＵ点インタフェースのユニット２０に設けられる電荷蓄積デバイス２２は容量を小さく小型にでき、しかも無駄がない構成とすることができる。更に、電荷蓄積デバイス２２は容量が小さいだけにシステムの電源投入から素早くチャージされ、立上がりを早くすることが可能である。
【００２３】
また、ＩＳＤＮベーシックレートＵ点インタフェースのユニット２０が故意に或いは意図することなくスロットから外された場合にも、ＩＳＤＮベーシックレートＵ点インタフェースの各ユニット２０毎にシステム電源がオフすることをＬＴ（ライン・ターミネーション）へ通知することができる。
【００２４】
以上のように構成されたディジタルボタン電話装置は、次のような不具合が生じる可能性を有している。図５に示すように、上記ＩＳＤＮベーシックレートＵ点インタフェースのユニット２０と制御部のユニット３０とには、相互にＰＣＭデータや制御データを送受するために、バッファ２７−１、２７−２とバッファ３１−１、３１−２が備えられている。
【００２５】
バッファ２７−１、２７−２は、図４において説明した電荷蓄積デバイス２２による電圧Ｖ２の印加を受けており、一方バッファ３１−１、３１−２は電源部１０による電圧Ｖ１の印加を受けている。
【００２６】
従って、電源部１０がオフした場合には電荷蓄積デバイス２２にチャージされた電荷が残っているので、制御部のユニット３０側の電源とＩＳＤＮベーシックレートＵ点インタフェースのユニット２０の電源とのオフタイミングが異なることとなり、また、電源部１０がオンした場合には電荷蓄積デバイス２２にチャージする時間を要するので、制御部のユニット３０側の電源とＩＳＤＮベーシックレートＵ点インタフェースのユニット２０の電源とのオンタイミングが異なることとなる。
【００２７】
このため、上記のいずれの場合においても電力が供給されている側のバッファの出力が電力の供給が停止した側のバッファへ流れ込む可能性があり、ラッチアップ等の原因となる。
【００２８】
そこで、図６に示すように構成する。ＩＳＤＮベーシックレートＵ点インタフェースのユニット２０Ａにおいて、バッファ２７−１の出力側に抵抗Ｒ１を介してゲート用バッファ４０−１を接続し、ゲート用バッファ４０−１の出力側をバッファ３１−１の入力側へ接続する。
【００２９】
また、ＩＳＤＮベーシックレートＵ点インタフェースのユニット２０Ａにおいて、バッファ２７−２の入力側にゲート用バッファ４０−２の出力端を接続し、ゲート用バッファ４０−２の入力側をバッファ３１−２の出力側へ接続する。バッファ２７−２とゲート用バッファ４０−２との接続ラインにプルアップ抵抗Ｒ２を介して電圧Ｖ２を与える。
【００３０】
ゲート用バッファ４０−１、４０−２には、バッファ３１−１、３１−２と同じ電源部１０による電圧Ｖ１を印加する。また、ゲート用バッファ４０−１、４０−２の制御端子には、ＩＳＤＮベーシックレートＵ点インタフェースのユニット２０Ａにおいて発生させるリセット信号を与える。
【００３１】
以上のように構成されたディジタルボタン電話装置におけるゲート用バッファ４０−１、４０−２の状態変化を図７に示すタイミングチャートに基づき説明する。制御部のユニット３０において電源（電圧Ｖ１）がオンとなると、ゲート用バッファ４０−１、４０−２の電源（電圧Ｖ１）もオンとなる（時刻Ｔ１）。
【００３２】
上記の時刻Ｔ１においては、ＩＳＤＮベーシックレートＵ点インタフェースのユニット２０Ａの電源はオフ状態であり、リセット信号もオフとなっており、ゲート用バッファ４０−１、４０−２がゲートオープン（通路が非導通）の状態となっている。このため、バッファ３１−２の出力信号がバッファ２７−２へ流れ込むことによるラッチアップ等を防止することができる。
【００３３】
その後の時刻Ｔ２のとき、ＩＳＤＮベーシックレートＵ点インタフェースのユニット２０Ａにおいて電荷が所定までチャージされて、電源（Ｖ２）がオンとなると、リセット信号もオンとなっており、ゲート用バッファ４０−１、４０−２が導通の状態となる。これによって、相互にＰＣＭデータや制御データを送受することができる。
【００３４】
更に、時刻Ｔ３のときに、制御部のユニット３０において電源（電圧Ｖ１）がオフとなると、ゲート用バッファ４０−１、４０−２の電源（電圧Ｖ１）もオフとなる。このシステム電源のオフを、図４において説明した電源監視部２５が監視しており、システム電源がオフすることがＬＴ（ライン・ターミネーション）へ通知される。
【００３５】
上記通知と同時に、リセット信号がオフとされて、ゲート用バッファ４０−１、４０−２がゲートオープン（通路が非導通）の状態とされる。このため、バッファ２７−１の出力信号がバッファ３１−１へ流れ込むことによるラッチアップ等を防止することができる。
【００３６】
その後の時刻Ｔ４のとき、ＩＳＤＮベーシックレートＵ点インタフェースのユニット２０Ａにおいて蓄積されていた電荷が所定程度消失して、電源（Ｖ２）がオフとなると、リセット信号は既にオフとなっており、ゲート用バッファ４０−１、４０−２がゲートオープン（通路が非導通）の状態が継続される。この結果、再び制御部のユニット３０において電源（電圧Ｖ１）がオンとなったときに、既に時刻Ｔ１、Ｔ２における説明と同様の動作が確保される。
【００３７】
【発明の効果】
以上説明したように、請求項１に記載の本発明に係る電話装置によれば、架内に、電源部から供給される電力を得て電荷を蓄積する電荷蓄積手段と、前記電荷蓄積手段から電力供給を受けると共に、前記電源部からの電力供給の停止を監視し、電力供給が停止となるとＩＳＤＮのライン・ターミネーションへ通知を行う通知手段とを具備する特定ユニットが設けられるので、個別の特定ユニットにおいて電荷蓄積が行われ、電荷蓄積手段の容量を小さく、構成を小型化できる。
【００３８】
また、請求項２に記載の本発明に係る電話装置によれば、前記制御部ユニットと前記特定ユニットには、それぞれデータを送受するバッファが備えられ、前記制御部のバッファと前記特定ユニットのバッファの間には、前記制御部に供給される電力を受け、前記特定ユニットのリセット信号により制御されるゲート用バッファが設けられているので、特定ユニットが電荷蓄積手段を備えていることにより生じる制御部との電源オンオフタイミングのずれが生じるときにゲート用バッファをゲートオープン状態としてバッファの破壊を防止することができる。
【００３９】
また、請求項３に記載の本発明に係る電話装置によれば、電源部の電力供給がオンとなってから電荷蓄積手段の電荷蓄積時間に対応してリセット信号を変化させ、前記ゲート用バッファを通過状態とするので、電荷蓄積手段の電荷蓄積時間により生じる特定ユニットと制御部との電源オンタイミングのずれによるバッファの破壊を防止することができる。
【図面の簡単な説明】
【図１】ＩＳＤＮベーシックレートＵ点インタフェースを具備する電話装置の構成例を示すブロック図。
【図２】ＩＳＤＮベーシックレートＵ点インタフェースを具備するディジタルボタン電話装置における架の内部構成の一例を示す図。
【図３】本発明の実施の形態に係るＩＳＤＮベーシックレートＵ点インタフェースを具備するディジタルボタン電話装置における架の内部構成の一例を示す図。
【図４】本発明の実施の形態に係るＩＳＤＮベーシックレートＵ点インタフェースのユニットの構成図。
【図５】ＩＳＤＮベーシックレートＵ点インタフェースのユニットと制御部のユニットの間の伝送系の一構成例を示す図。
【図６】本発明の実施の形態に係るＩＳＤＮベーシックレートＵ点インタフェースのユニットと制御部のユニットの間の伝送系の一構成例を示す図。
【図７】図６に示した伝送系におけるゲート用バッファの状態変化を示すタイミングチャート。
【符号の説明】
１  電話装置
５  架
１０  電源部
１１−１〜１１−８  ユニット
２０、２０Ａ  ＩＳＤＮベーシックレートＵ点インタフェースのユニット
２１  ＩＳＤＮインタフェースＬＳＩ
２２  電荷蓄積デバイス
２３  ＤＣ／ＤＣコンバータ
２５  電源監視部
２７−１、２７−２、３１−１、３１−２  バッファ
４０−１、４０−２  ゲート用バッファ
【図１】
2004328249.tif 000003
【図２】
2004328249.tif 000004
【図３】
2004328249.tif 000005
【図４】
2004328249.tif 000006
【図５】
2004328249.tif 000007
【図６】
2004328249.tif 000008
【図７】
2004328249.tif 000009